【手続補正書】
【提出日】平成21年7月18日(2009.7.18)
【手続補正１】
【補正対象書類名】特許請求の範囲
【補正対象項目名】全文
【補正方法】変更
【補正の内容】
【特許請求の範囲】
【請求項１】
方法であって、
第１の無線メッシュネットワークおよび第２の無線メッシュネットワークを、これらの無線メッシュネットワーク間でパケットを渡すことにより、マルチメッシュネットワークとして操作する工程と、
少なくとも部分的にルートコスト情報に基づく効率的な経路に従ってパケットを転送する工程と
を有し、
前記操作する工程は、前記第１の無線メッシュネットワークおよび前記第２の無線メッシュネットワークにそれぞれ関連付けられた第１のメッシュブリッジノードおよび第２のメッシュブリッジノードを管理する工程を有し、
前記パケットを転送する工程は、前記パケットの引き渡し中、少なくとも部分的に前記ルートコスト情報を累積する工程を有する
方法。
【請求項２】
請求項１記載の方法において、この方法は、さらに、
各無線メッシュネットワーク内で、冗長なブロードキャストパケット・フラッディングを排除する工程を有するものである。
【請求項３】
請求項２記載の方法において、前記冗長なブロードキャストパケット・フラッディングを排除する工程は前記パケットの少なくとも一部の各々に割り当てられた識別子に部分的に基づくものであって、各識別子は各々の第１の部分および各々の第２の部分を有し、前記各々の第１の部分は前記マルチメッシュネットワークへの各パケットの各々のエントリポイントを一意に識別し、前記各々の第２の部分は各前記エントリポイントの文脈で各パケットを一意に識別するものである。
【請求項４】
請求項３記載の方法において、前記識別子は、既存の制御パケットに含まれるものである。
【請求項５】
請求項３記載の方法において、前記識別子は、既存のデータパケットに含まれるものである。
【請求項６】
請求項４記載の方法において、この方法は、さらに、
前記無線メッシュネットワーク間の転送ループを防ぐ工程を有するものである。
【請求項７】
請求項６記載の方法において、前記転送ループを防ぐ工程は、前記パケットの少なくとも一部の各々に割り当てられた識別子に部分的に基づくものであって、各識別子は各々の第１の部分および各々の第２の部分を有し、前記各々の第１の部分は前記マルチメッシュネットワークへの各パケットの各々のエントリポイントを一意に識別し、前記各々の第２の部分は各前記エントリポイントの文脈で各パケットを一意に識別するものである。
【請求項８】
請求項７記載の方法において、前記識別子は、既存の制御パケットに含まれるものである。
【請求項９】
請求項７記載の方法において、前記識別子は、既存のデータパケットに含まれるものである。
【請求項１０】
請求項１記載の方法において、前記パケットを転送する工程は、ブリッジリンク通過中、少なくとも部分的に前記ルートコスト情報を累積する工程を有するものである。
【請求項１１】
請求項１記載の方法において、前記パケットを転送する工程は、無線メッシュネットワークのうち少なくとも１つが通過中、少なくとも部分的に前記ルートコスト情報を累積する工程を有するものである。
【請求項１２】
システムであって、
複数の無線メッシュネットワークと、
複数のブリッジリンクであって、各前記無線メッシュネットワークが当該ブリッジリンクのうち少なくとも１つに結合されるよう、前記無線メッシュネットワークの各ペアを各々のメッシュブリッジノード経由で結合する、前記複数のブリッジリンクと
を有し、
前記ブリッジリンクは、前記無線メッシュネットワーク間でパケットの引き渡しを可能にし、
前記パケットの少なくとも一部は、前記パケットの引き渡し中、少なくとも部分的に累積されるルートコスト情報に少なくとも部分的に基づく効率的な経路に従って転送される
システム。
【請求項１３】
請求項１２記載のシステムにおいて、各前記無線メッシュネットワーク内で、冗長なブロードキャストパケット・フラッディングは、排除されるものである。
【請求項１４】
請求項１３記載のシステムにおいて、前記冗長なブロードキャストパケットフラッディングの排除は、前記パケットの少なくとも一部の各々に割り当てられた識別子に部分的に基づくものであって、各識別子は各々の第１の部分および各々の第２の部分を有し、前記各々の第１の部分は前記無線メッシュネットワークへの各パケットの各々のエントリポイントを一意に識別し、前記各々の第２の部分は各前記エントリポイントの文脈で各パケットを一意に識別するものである。
【請求項１５】
請求項１４記載のシステムにおいて、前記識別子は、既存の制御パケットに含まれるものである。
【請求項１６】
請求項１４記載のシステムにおいて、前記識別子は、既存のデータパケットに含まれるものである。
【請求項１７】
請求項１２記載のシステムにおいて、前記無線メッシュネットワーク間の転送ループは防止されるものである。
【請求項１８】
請求項１７記載のシステムにおいて、前記無線メッシュネットワーク間の転送ループの防止は前記パケットの少なくとも一部の各々に割り当てられた識別子に部分的に基づくものであって、各識別子は各々の第１の部分および各々の第２の部分を有し、前記各々の第１の部分は前記無線メッシュネットワークへの各パケットの各々のエントリポイントを一意に識別し、前記各々の第２の部分は各前記エントリポイントの文脈で各パケットを一意に識別するものである。
【請求項１９】
請求項１８記載のシステムにおいて、前記識別子は、既存の制御パケットに含まれるものである。
【請求項２０】
請求項１８記載のシステムにおいて、前記識別子は、既存のデータパケットに含まれるものである。
【請求項２１】
請求項１２記載のシステムにおいて、前記転送は、前記ブリッジリンクの１つの通過中、少なくとも部分的に前記ルートコスト情報を累積することに部分的に基づくものである。
【請求項２２】
請求項１２記載のシステムにおいて、前記転送は、前記無線メッシュネットワークのうち少なくとも１つの通過中、少なくとも部分的に前記ルートコスト情報を累積することに部分的に基づくものである。
【請求項２３】
請求項１２記載のシステムにおいて、前記ルートコスト情報は、既存の制御パケットで通信されるものである。
【手続補正２】
【補正対象書類名】明細書
【補正対象項目名】０００２
【補正方法】変更
【補正の内容】
【０００２】
関連技術：本明細書で説明する技術および概念は、公知または周知であるとの明示的な断りがない限り、それらに関する文脈提供、定義、または比較用のものも含め、これまでに公知または先行技術の一部であったと解釈すべきものではない。この明細書で文献を引用する場合、特許、特許出願、および出版物を含むそれら全ての引用文献は、すべての目的について具体的に盛り込まれているかどうかにかかわらず、参照によりその全体を本明細書に組み込むものとする。本明細書の説明は、いずれかの参照文献が関連する先行技術であるとも、またいずれかの参照文献がこれら文献が実際に公開（出版）された内容または日付に関する事実承認であるとも解釈すべきではない。
この出願の発明に関連する先行技術文献情報としては、以下のものがある（国際出願日以降国際段階で引用された文献及び他国に国内移行した際に引用された文献を含む）。
【特許文献１】米国特許出願公開第２００４／０１９０４５４号明細書
【特許文献２】国際公開第２００６／０７４３８６号パンフレット
【非特許文献１】"Ｍｅｓｈ  ｎｅｔｗｏｒｋｓ  ｆｏｒ  ｂｒｏａｄｂａｎｄ  ａｃｃｅｓｓ"，Ｆｏｗｌｅｒ，Ｔ．：ＩＥＥ  Ｒｅｖｉｅｗ，Ｖｏｌｕｍｅ  ４７，Ｉｓｓｕｅ  １，Ｊａｎ  ２００１  Ｐａｇｅ（ｓ）：１７−２２